(57)【要約】【課題】入力映像信号の有効領域を容易に調整可能な表示装置を提供する。【解決手段】表示装置は、入力映像信号の有効領域を調整する調整手段と、調整手段により設定された有効領域に関する情報を記憶する記憶手段と、記憶手段に記憶された情報に基づいて、入力映像信号の有効領域および有効領域の外側領域の両方を合わせて表示部に表示する画像処理手段とを有し、調整手段は、有効領域および外側領域の両方を表示部に表示した状態で、有効領域を調整可能に構成されている。【選択図】図１
2013015650.tif 000002
【特許請求の範囲】
【請求項１】
入力映像信号の有効領域を調整する調整手段と、
前記調整手段により設定された有効領域に関する情報を記憶する記憶手段と、
前記記憶手段に記憶された前記情報に基づいて、前記入力映像信号の有効領域および該有効領域の外側領域の両方を合わせて表示部に表示する画像処理手段と、を有し、
前記調整手段は、前記有効領域および前記外側領域の両方を前記表示部に表示した状態で、該有効領域を調整可能に構成されていることを特徴とする表示装置。
【請求項２】
前記画像処理手段は、前記入力映像信号の前記有効領域と前記外側領域とを区別して表示することを特徴とする請求項１に記載の表示装置。
【請求項３】
前記画像処理手段は、前記入力映像信号の前記有効領域と前記外側領域とを区別するため、該有効領域を囲む線を前記表示部に表示することを特徴とする請求項２に記載の表示装置。
【請求項４】
前記画像処理手段は、前記入力映像信号の前記有効領域と前記外側領域との境界を強調して表示することを特徴とする請求項２又は３に記載の表示装置。
【請求項５】
前記画像処理手段は、前記入力映像信号の前記有効領域と前記外側領域との境界を拡大して表示することを特徴とする請求項４に記載の表示装置。
【請求項６】
入力映像信号の有効領域を調整する調整手段と、
前記調整手段により設定された有効領域に関する情報を記憶する記憶手段と、
前記記憶手段に記憶された前記情報に基づいて、前記入力映像信号の有効領域を示す情報と前記入力映像信号の全領域の両方を合わせて表示部に表示する画像処理手段と、を有し、
前記調整手段は、前記有効領域を示す情報と前記全領域の両方を前記表示部に表示した状態で、該有効領域を調整することを特徴とする表示装置。
【請求項７】
表示装置により実行可能なプログラムであって、
入力映像信号の有効領域を調整する調整ステップと、
前記調整手段により設定された有効領域に関する情報を記憶する記憶ステップと、
前記記憶ステップで記憶された前記情報に基づいて、前記入力映像信号の有効領域および該有効領域の外側領域の両方を合わせて表示部に表示する画像処理ステップと、を有し、
前記調整ステップは、前記有効領域および前記外側領域の両方を前記表示部に表示した状態で該有効領域を調整することを特徴とするプログラム。
【発明の詳細な説明】
【技術分野】
【０００１】
本発明は、入力映像信号の有効領域を調整可能な表示装置に関する。
【背景技術】
【０００２】
映像信号には、表示開始位置や解像度などの有効領域に関する情報が含まれていない場合がある。有効領域に関する情報が映像信号に含まれていない場合でも、例えば特許文献１に開示されているように、映像信号を解析して有効領域を検知する方法がある。一般的に、表示装置は映像信号の有効領域を手動で調整する機能を備えており、この機能を用いて有効領域の調整を行うこともできる。
【先行技術文献】
【特許文献】
【０００３】
【特許文献１】特開平１１−３１１９８５号公報
【発明の概要】
【発明が解決しようとする課題】
【０００４】
しかしながら、特許文献１に開示されている方法を用いても、有効領域内の信号レベルが低い場合や映像信号に高周波成分が含まれていない場合には、有効領域を誤認識する可能性がある。
【０００５】
また、前述の調整機能を用いて手動で有効領域を設定することもできる。しかし、このような有効領域の調整機能は、その時点で設定されている有効領域の情報に基づいて映像が表示される。このため、ユーザは設定されている有効領域の外側の映像信号の状態を知ることができず、設定されている有効領域の移動や拡大を最初に行い、有効な画像が含まれる範囲を確認してから再度移動や縮小を行って正しい有効領域を設定するという作業が必要となる。また、このような場合には、有効領域の微調整は困難である。
【０００６】
そこで本発明は、入力映像信号の有効領域を容易に調整可能な表示装置を提供する。
【課題を解決するための手段】
【０００７】
本発明の一側面としての表示装置は、入力映像信号の有効領域を調整する調整手段と、前記調整手段により設定された有効領域に関する情報を記憶する記憶手段と、前記記憶手段に記憶された前記情報に基づいて、前記入力映像信号の有効領域および該有効領域の外側領域の両方を合わせて表示部に表示する画像処理手段とを有し、前記調整手段は、前記有効領域および前記外側領域の両方を前記表示部に表示した状態で、該有効領域を調整可能に構成されている。
【０００８】
本発明の他の側面としての表示装置は、入力映像信号の有効領域を調整する調整手段と、前記調整手段により設定された有効領域に関する情報を記憶する記憶手段と、前記記憶手段に記憶された前記情報に基づいて、前記入力映像信号の有効領域を示す情報と前記入力映像信号の全領域の両方を合わせて表示部に表示する画像処理手段とを有し、前記調整手段は、前記有効領域を示す情報と前記全領域の両方を前記表示部に表示した状態で、該有効領域を調整する。
【０００９】
本発明の他の側面としてのプログラムは、表示装置により実行可能なプログラムであって、入力映像信号の有効領域を調整する調整ステップと、前記調整手段により設定された有効領域に関する情報を記憶する記憶ステップと、前記記憶ステップで記憶された前記情報に基づいて、前記入力映像信号の有効領域および該有効領域の外側領域の両方を合わせて表示部に表示する画像処理ステップとを有し、前記調整ステップは、前記有効領域および前記外側領域の両方を前記表示部に表示した状態で該有効領域を調整する。
【００１０】
本発明の他の目的及び特徴は、以下の実施例において説明される。
【発明の効果】
【００１１】
本発明によれば、入力映像信号の有効領域を容易に調整可能な表示装置を提供することができる。
【図面の簡単な説明】
【００１２】
【図１】本実施例における表示装置の構成を示すブロック図である。
【図２】本実施例の表示装置における有効領域の調整手順を示すフローチャートである。
【図３】本実施例の表示装置における入力映像信号の説明図である。
【図４】図３の入力映像信号に対して有効領域が正しく設定された場合の表示画面を示す図である。
【図５】図３の入力映像信号に対して有効領域が誤って設定された場合の表示画面を示す図である。
【図６】本実施例の表示装置において、有効領域の調整中の表示画面を示す図である。
【図７】本実施例の表示装置において、有効領域の調整中の表示画面を示す図である。
【発明を実施するための形態】
【００１３】
以下、本発明の実施例について、図面を参照しながら詳細に説明する。各図において、同一の部材については同一の参照番号を付し、重複する説明は省略する。
【００１４】
まず図１を参照して、本実施例における表示装置の概略構成について説明する。表示装置とは、例えばプロジェクタやテレビなどである。図１は、表示装置１の構成を示すブロック図である。図１において、入力部１０は、外部装置からの映像信号（入力映像信号）を入力し、Ａ／Ｄ変換等の処理を行う。画像処理部１００（破線部）は、フレームバッファ部１１０、スケーラ部１２０、映像合成部１３０、および、ＯＳＤ部１４０を備えて構成され、入力部１０からの入力映像信号に対して各種の画像処理を行う。表示部２０は、画像処理部１００で画像処理後の映像信号を表示する。制御部３０は、メモリ部４０に記憶された各種設定に基づいて画像処理部１００の画像処理の設定を行うとともに、操作入力部５０から入力された操作入力通知を処理し、メモリ部４０に記憶された各種設定の変更等を行う。
【００１５】
フレームバッファ部１１０は、入力部１０から入力された映像信号のフレームバッファへの書き込みおよび読み込みを行う。またフレームバッファ部１１０は、フレームバッファ上の異なるアドレスからの並行または並列的な読み込みを実行可能に構成されている。具体的には、有効領域全体の読み込みを行いながら、同時に有効領域の一部の読み込みを行うことなどが可能である。スケーラ部１２０は、フレームバッファ部１１０からの映像信号（画像情報）の読み込みを行い、読み込まれた映像（画像）に対して拡大や縮小などの処理を行う。スケーラ部１２０も、フレームバッファ部１１０と同様に、並行または並列的な拡大や縮小処理を行うことが可能である。
【００１６】
映像合成部１３０は、スケーラ部１２０から送信される映像信号（画像情報）と、ＯＳＤ部１４０から送信される描画情報とを合成して所定の映像信号を生成し、表示部２０へ出力する。映像合成部１３０、スケーラ部１２０、および、フレームバッファ部１１０により、有効領域の全体を表示部２０に適したサイズに拡大または縮小して表示することができる。更に、映像信号（画像情報）の一部を拡大した画像をその映像信号上に重畳するなどの表示を行うことも可能となる。
【００１７】
表示装置１によれば、メモリ部４０に記憶された有効領域情報に基づいて、フレームバッファ部１１０から有効領域の画像のみを読み込み、スケーラ部１２０で所望のスケーリングを行うことで、有効領域情報に基づいた映像信号の表示を行うことが可能となる。
【００１８】
続いて、図３を参照して、表示装置１に入力される映像信号の概略について説明する。図３は、表示装置１における入力映像信号の説明図である。図３に示されるように、入力映像信号は、表示部２０に表示される対象である有効領域と、有効領域の周囲にある外側領域（ブランキング領域）とからなる。入力映像信号には、垂直同期信号と水平同期信号が含まれる。前述の有効領域情報には、垂直同期信号の開始位置の情報および水平同期信号の開始位置の情報が含まれ、これらの情報により有効領域の範囲が確定する。
【００１９】
アナログ信号の場合は、入力映像信号には有効領域情報は含まれないので、表示装置１が、有効領域を検知して、メモリ部４０に有効領域情報を書き込む。
【００２０】
ここで、図３に示される入力映像信号に対して正確な有効領域が設定されている場合（外側領域とブランキング領域とが一致する場合）、図４に示されるような表示が行われる。一方、図３に示される映像信号に対して誤った有効領域が設定されている場合（本来有効領域に含まれる領域が外部領域として設定されている場合）、図５に示されるように有効領域の一部が欠けてしまう。あるいは、表示装置１が誤って有効領域を検知してしまった場合も、図５に示されるように有効領域の一部が欠けてしまう。また逆に、本来ブランキング領域に含まれる領域が有効領域として表示されてしまう。このような誤った有効領域が設定されている場合には、正しい有効領域となるように調整する必要がある。
【００２１】
次に、図２を参照して、表示装置１による有効領域の調整手順について説明する。図２は、有効領域の調整手順を示すフローチャートである。本実施例における有効領域の調整は、表示装置１により実行可能なプログラムに基づいて、制御部３０の指示により実行される。まずステップＳ１０において、ユーザが操作入力部５０を操作することにより有効領域の調整が行われる。ステップＳ２０においてユーザが操作入力部５０により調整終了操作を行うと、制御部３０は調整終了操作の入力信号を受け、有効領域の調整を終了する。一方、調整終了操作が行われていない場合、ステップＳ３０に移行し、制御部３０は有効領域の設定が変更されたか否か、すなわち設定変更操作があったか否かを判定する。
【００２２】
ステップＳ３０において制御部３０が設定変更操作を受けた場合、ステップＳ４０に移行し、制御部３０は有効領域の設定変更を行い、表示部２０（画面）の更新等を行って設定変更を適用する。続いてステップＳ５０において、メモリ部４０は有効領域の変更後の設定を記憶する。その後、ステップＳ１０に戻り、ユーザからの操作入力を待つ状態となる。以上のとおり、有効領域の調整が行われ、ユーザは、調整を開始すると、設定を変更しながら表示部２０（画面）の確認を行い、十分に調整ができたと判断するまで設定変更を繰り返す。ユーザは、十分に調整ができたと判定した場合、調整終了操作を行って調整を終了する。図２に示される調整手順は、本実施例の表示装置１に限定されるものではなく、その他の一般的な表示装置においても同様に実行可能である。
【００２３】
次に、図６および図７を参照して、有効領域の調整中の表示画面（表示部２０）について説明する。図６および図７は、表示装置１における有効領域の調整中の表示画面（表示部２０）を示す図であり、図３の入力映像信号に対して、有効領域が図５のように設定されている場合（誤った有効領域が設定されている場合）を示している。図６の表示画面を得るには、まず、フレームバッファ部１１０から、設定された有効領域情報を考慮せずブランキング領域を含めた全領域の読み込みを行う。そして、ＯＳＤ部１４０で調整用ＯＳＤと設定されているＯＳＤ（破線で示される有効領域）との描画情報を生成し、映像合成部１３０でそれらを合成する。他に図６の表示画面を得る方法として、まず、フレームバッファ部１１０から、設定された有効領域情報を考慮せずブランキング領域を含めた全領域の読み込みを行う。そして、ＯＳＤ部１４０で調整用ＯＳＤ（図６の有効領域を設定する為の情報が表示されている部分）とユーザの調整により設定される有効領域を示す破線（描画情報）を生成し、映像合成部１３０でそれらとブランキング領域を含めた全領域を合成する。
【００２４】
また、図７の表示画面を得るには、図６に対して、更に有効領域の四隅部分の画像情報をフレームバッファ部１１０から読み込み、それらをスケーラ部１２０で拡大し、映像合成部１３０で重畳する。このような表示画面は、前述したようにフレームバッファ部１１０からの読み込み、およびスケーラ部１２０での拡大や縮小を、並行または並列的に行うことが可能なために実現することができる。図７の表示画面を得るには、具体的には、まず図６の表示画面において、現在設定されている有効領域情報に基づいて有効領域の四隅に対応したフレームバッファ部１１０のアドレスをそれぞれ求める。そして、それぞれのアドレスに対して当該アドレスを含む一定範囲のアドレスからの読み込みを行うと共に、スケーラ部１２０で所定倍率での拡大を行い、この拡大した画像（拡大表示部）を、四隅に対応する位置を基準として映像合成部１３０で元の画像に重畳する。
【００２５】
図６および図７に示されるような表示を行うことで、ユーザは入力映像信号の全体の様子を容易に知ることができる。このため、現在の有効領域の外側領域（ブランキング領域）を知るために有効領域を拡大する等の余分な作業を減らすことが可能となる。また図７においては、現在設定されている有効領域の境界の一部が拡大して表示されている（拡大表示部）。このため、微小なずれや変化を容易に判別することができる。したがって、より正確な微調整を行うことが可能となると共に、調整時に表示画面に近づく等の余分な作業を減らすことが可能となる。
【００２６】
表示装置１に入力される映像信号は、表示部２０に表示される有効領域（表示領域）と有効領域の外側にある外側領域とからなる。外側領域は、有効領域の設定が正しい場合にはブランキング領域（空白領域）である。しかし有効領域の設定が誤っている場合には、図６に示されるように、本来有効領域となるべき箇所も外側領域に含まれてしまう。
【００２７】
表示装置１において、操作入力部５０および制御部３０は、入力映像信号の有効領域を調整する調整手段である。メモリ部４０は、調整手段により設定された有効領域に関する情報（有効領域情報）を記憶する記憶手段である。画像処理部１００は、メモリ部４０に記憶された有効領域情報に基づいて、入力映像信号の有効領域およびその外側領域の両方を合わせて表示部２０に表示する画像処理手段である。本実施例において、調整手段は、入力映像信号の有効領域および外側領域の両方を表示部２０に表示した状態で、入力映像信号の有効領域を調整可能に構成されている。
【００２８】
画像処理部１００は、入力映像信号の有効領域と外側領域とを区別して表示するように構成されることが好ましい。画像処理部１００は、入力映像信号の有効領域と外側領域とを区別するため、例えば図６に示されるように、有効領域を囲む線を表示部２０に表示する。また画像処理部１００は、入力映像信号の有効領域と外側領域との境界を強調して表示するように構成してもよい。このとき画像処理部１００は、例えば有効領域と外側領域との境界を拡大して表示する。
【００２９】
本実施例の表示装置によれば、映像信号の有効領域の調整時に、現在設定されている有効領域とともにその外側領域（ブランキング領域）も合わせて表示する。このため、有効領域の設定によらず有効な画像が含まれる領域を見つけ出すことができ、有効領域を容易に調整することが可能となる。
【００３０】
以上、本発明の好ましい実施形態について説明したが、本発明はこれらの実施形態に限定されず、その要旨の範囲内で種々の変形及び変更が可能である。
【００３１】
例えば、本実施例では入力映像信号の有効領域の外側領域を含めて全領域を表示するとして説明したが、これに限定されるものではない。外側領域の一部のみを表示するように構成してもよい。また本実施例では、有効領域と外側領域を区別するため、破線を用いて有効領域を囲んでいるが、これに限定されるものではない。有効領域を透過色で塗りつぶすことや、逆に外側領域を透過色で塗りつぶす等でこれらの領域を区別するようにしてもよい。また本実施例では、有効領域と外側領域との境界を強調するため、有効領域の四隅部分を拡大しているが、これに限定されるものではない。拡大部分は四隅である必要はなく、任意の個所を拡大して強調してもよい。また、拡大すること以外で所定の部分を強調するように構成することもできる。
【符号の説明】
【００３２】
１：表示装置
２０：表示部
３０：制御部
４０：メモリ部
５０：操作入力部
１００：画像処理部
【図１】
2013015650.tif 000003
【図２】
2013015650.tif 000004
【図３】
2013015650.tif 000005
【図４】
2013015650.tif 000006
【図５】
2013015650.tif 000007
【図６】
2013015650.tif 000008
【図７】
2013015650.tif 000009